(57)【要約】【課題】デスクマットについて、机の天板に貼り付け固定した際に、その上面に段差ができることを防止する。【解決手段】デスクマット１０を、抗菌剤を練り込んだポリオレフィン系樹脂製の方形のデスクマット本体１１と、デスクマット本体１１の裏面の対向する側辺近傍に、マット本体１１の角隅を余らせて貼付された厚さ１０μｍ程度の両面粘着テープ１２とから構成した。テープ１２は厚みが小さいので、マット１０を天板に貼り付けた場合に上面には段差はほとんど現れない。テープ１２は、天板に貼付側の面が、マット本体１１貼付側の面に対し粘着力が６０〜８０％となるように調整されているので、マット１０を天板から剥がす際に天板にテープ１２が付着残存しない。マット１０は持続的な抗菌性を有し、焼却してもダイオキシンが発生しない。マット１０を角隅からめくり上げることで、容易に天板から取り外すことができる。【選択図】図１
0003134098.tif 000002
【実用新案登録請求の範囲】
【請求項１】
机の天板上面に着脱可能に貼り付け固定するデスクマット１０において、
デスクマット本体１１と、デスクマット本体１１の裏面に貼付された両面粘着テープ１２とからなり、前記両面粘着テープ１２は、デスクマット本体１１貼付側の面１２ｃが、机の天板に貼り付ける側の面１２ｂよりも粘着力が大きいように調整されたことを特徴とするデスクマット。
【請求項２】
上記デスクマット本体１１は方形であり、上記両面粘着テープ１２はデスクマット本体１１の対向する側辺近傍に沿って貼付され、かつデスクマット本体１１の角隅部１１ａを余らせて貼付された請求項１に記載のデスクマット。
【請求項３】
上記デスクマット本体１１の裏面に、マット加工を施した請求項１または２に記載のデスクマット。
【請求項４】
上記デスクマット本体１１は、ポリオレフィン系樹脂から形成された請求項１から３のいずれかに記載のデスクマット。
【請求項５】
上記デスクマット本体１１のポリオレフィン系樹脂に、抗菌剤を練り込んだ請求項４に記載のデスクマット。
【請求項６】
上記両面粘着テープ１２の厚みは、５μｍ〜２０μｍである請求項１から５のいずれかに記載のデスクマット。
【請求項７】
上記両面粘着テープ１２の、天板に貼り付ける側の面１２ｂの粘着力を、デスクマット本体貼付側の面１２ｃの粘着力の６０％〜８０％に調整した請求項１から６のいずれかに記載のデスクマット。
【考案の詳細な説明】
【技術分野】
【０００１】
この考案は、机の天板に着脱可能に貼り付け固定するデスクマットに関する。
【背景技術】
【０００２】
机の天板が痛まないように、天板の上にデスクマットを載せて保護することがよく行われている。
このようなデスクマットは、単に天板に載せただけでは、書き作業などの際に力が加わるとずれ動いて不便であるので、動かないよう貼り付け固定することが望ましい。
【０００３】
そのため図４のように、デスクマット本体２１の裏面にミクロ吸盤テープ２２を貼付したデスクマット２０が考案されている(特許文献１参照)。
ここで図５のように、ミクロ吸盤テープ２２は微細な気泡２２ａを有する発泡体からなるテープであるので、図４に示すように、このデスクマット２０を机Ｄの天板Ｔに載せ、上から押さえつけると、気泡２２ａ内に陰圧が生じてテープ２２が吸盤作用を示し、天板Ｔに吸着するようになっている。
また、デスクマット２０を天板Ｔから捲り上げると、吸盤テープ２２の吸盤作用が消失して簡単に取り外すことができ、取り外しの際に天板Ｔ上面を傷めることも無い。
【特許文献１】登録実用新案第３１１５０８９号公報
【考案の開示】
【考案が解決しようとする課題】
【０００４】
ところで、ミクロ吸盤テープ２２が十分な吸盤作用を奏するためには、気泡２２ａの大きさおよび単位面積当たりの気泡２２ａの数が一定以上でなくてはならない。
そのため、デスクマット２０に用いるミクロ吸盤テープ２２の厚みｔ２を一定以下とすることは事実上不可能であり、実際、一般的によく用いられているミクロ吸盤テープ２２の厚みｔ２は１ｍｍ程度とかなり大きくなっている。
その一方で、デスクマット本体２１については、取り扱いやすさ等を考慮すると厚みが小さいほうが好ましいので、一般的には厚みは１ｍｍ以下、主として０．７ｍｍ〜０．９ｍｍ程度である。
【０００５】
したがって、従来のデスクマット２０では、吸盤テープ２２が貼付された部分と、それ以外の部分との間に厚みに大きな差ができることになる。
例えば、デスクマット本体２１の厚みを１ｍｍとしても、吸盤テープ２２が貼付された部分は２ｍｍ程度と約倍になる。
そのため、図４のように、デスクマット２０を天板Ｔの上に貼り付けた場合、吸盤テープ２２の部分とそれ以外の部分との境界には、デスクマット２０の上面に大きな段差が現れることになる。
このようにデスクマット２０の使用時にデスクマット本体２１上面に段差ができるとなると、その上での書き作業等がしづらく、また上面が凸凹様になっているのは見た目も悪い。
【０００６】
そこで、この考案の解決すべき課題は、デスクマットについて、机の天板に貼り付け固定した際に、その上面に段差ができることを防止することである。
【課題を解決するための手段】
【０００７】
上記した課題を解決するため、考案にかかるデスクマットを、デスクマット本体と、デスクマット本体の裏面に貼付された両面粘着テープとから構成し、両面粘着テープを、デスクマット本体貼付側の面が、机の天板に貼り付ける側の面よりも粘着力が大きいように調整したのである。
【０００８】
両面粘着テープは、粘着剤の粘着力により貼り付けるものであるため、上記したミクロ吸盤テープと異なり、貼り付け強度を担保するための厚みの制約が無く、そのため、ミクロ吸盤テープと比較にならないくらいに厚みを小さくすることができる。
通常、両面粘着テープの厚みは数十μｍ程度であるため、天板への貼り付け固定のための部材として両面粘着テープを用いた場合、デスクマット本体にテープが貼付された部分と、それ以外の部分との間の厚みの差はほとんど無い。
たとえば、デスクマット本体の厚みを１ｍｍ、テープの厚みを１０μｍとした場合、厚みの増加は１％程度である。
そのため、デスクマットを天板の上に貼り付けた場合に、デスクマットの上面には、段差はほとんど現れない。
【０００９】
また、デスクマット本体貼付側の一面が、机の天板に貼り付ける側の他面よりも粘着力が大きいため、デスクマットを天板に貼り付けた際にも、粘着テープはデスクマット本体側により強固に貼り付いている。
そのため、デスクマットを天板から剥がす際にも、粘着テープはすべてデスクマット本体と一体となって天板から剥がれ、天板上に粘着テープが付着残存することはない。
また、天板に貼り付ける側の面の粘着力が弱いので、デスクマットを天板から剥がす際に天板の塗装等を一緒に剥がしてしまうこともなく、天板を傷めることが防がれている。
【００１０】
ここで、両面粘着テープの厚みは、５μｍ〜２０μｍであるのが好ましい。
２０μｍを超えると、デスクマット本体上面に小さいながらも段差が現れる可能性があり、５μｍ未満であると、両面の粘着力に差を設けるのが難しく、また天板からデスクマットを剥がす際に、粘着テープが破断して天板上に残存する可能性があるからである。
【００１１】
また、両面粘着テープの、天板に貼り付ける側の面のＪＩＳ法により測定した粘着力を、デスクマット本体貼付側の面のＪＩＳ法により測定した粘着力の６０％〜８０％に調整するのが好ましい。
天板に貼り付ける側の面の粘着力が弱いほど、剥がした際に天板に粘着テープが残存せず、天板が傷むこともないが、粘着力が弱すぎると、デスクマットに貼り付けた際にずれ動きやすくなってしまうからである。
【００１２】
デスクマット本体を、通常の天板の形状に合わせた方形とすると、載せて用いるのに便利である。
両面粘着テープは、デスクマット本体の対向する側辺近傍に沿って貼付すると、貼り付け状態が安定する。
また、粘着テープを側辺近傍に配置しておくと、デスクマットを天板に貼り付けた際に、デスクマット本体と机の天板との隙間にメモ類等を挟む際に、邪魔とならず便利である。
また、粘着テープは、デスクマット本体の角隅部を余らせた状態で貼付すると、天板に貼り付いていない角隅部からデスクマットを捲り上げることが容易となるため、デスクマットを天板から剥がしやすくなる。
【００１３】
デスクマット本体の裏面に、マット加工を施すと、デスクマット本体自体が天板に密着するのが防止される。
そのため、粘着テープのみならず、デスクマット本体自身までもが天板に貼り付いて、天板を傷めることが防がれ、かつ、デスクマット本体が天板に貼り付いていないので、デスクマットを天板から剥がすことが容易となる。
【００１４】
デスクマット本体は、ポリオレフィン系樹脂から形成すると、焼却処分してもダイオキシン等の有害物質が発生せず、環境にやさしい。
【００１５】
ポリオレフィン系樹脂に、抗菌剤を練り込むと、デスクマットに雑菌が繁殖するのが防止され衛生的である。
この場合に、抗菌剤は練り込まれているため、デスクマット本体表面に塗布した場合等と比較して、抗菌作用が持続する。
【考案の効果】
【００１６】
デスクマット本体の裏面に両面粘着テープを貼付し、この粘着テープでデスクマットを机の天板に貼り付け固定するようにしたため、デスクマットの天板への貼り付け固定時にその上面に段差ができることが防止される。
【考案を実施するための最良の形態】
【００１７】
図１に示す実施形態のデスクマット１０は、長方形のデスクマット本体１１と、デスクマット本体１１の一対の対向する側辺近傍に沿って貼付された両面粘着テープ１２とから構成され、図２のように、机Ｄの天板Ｔに載せ、粘着テープ１２で着脱可能に貼り付け固定することにより使用される。
【００１８】
デスクマット本体１１は、酸化チタン、ゼオライト等の抗菌剤を練り込んだ、ポリプロピレン等のポリオレフィン系樹脂シートを裁断することで形成され、その両面にはマット処理が施されて、両面ともいわゆるシボの形成された粗面となっている。
このデスクマット本体１１の厚みは、８ｍｍ程度である。
【００１９】
図３のように、両面粘着テープ１２は、ポリエステルフィルム等の支持体１２ａの両面にアクリル系等の粘着剤を塗布することで形成されており、そのデスクマット本体１１に貼付した側の一面１２ｃ(以下、強粘着面１２ｃという。)は、デスクマット本体１１に貼付しない側の他面１２ｂ(以下、弱粘着面１２ｂという。)よりも粘着力が大きく調整されている。
この強粘着面１２ｃ、弱粘着面１２ｂの粘着力の差は、粘着剤の種類、量等を違えることにより適宜調節することができ、弱粘着面１２ｂのＪＩＳ法により測定した粘着力を、強粘着面１２ｃのＪＩＳ法により測定した粘着力の６０％〜８０％とするのが好適である。
また、粘着テープ１２の厚みｔ１は１０μｍ程度、幅は２ｃｍ程度であり、長さはデスクマット本体１１の側辺の長さよりも若干短くなるように切断され、デスクマット本体１１の各角隅部１１ａを余らせた状態になるようにして貼付されている。
このような粘着テープ１２の具体例としては、リンテック社の製品名ＴＬ−３（登録商標タックライナー）等を挙げることができる。
【００２０】
図２のように、このデスクマット１０を机Ｄの天板Ｔに貼り付け固定した場合、両面粘着テープ１２の厚みｔ１は１０μｍ程度であるため、厚み８ｍｍ程度のデスクマット本体１１の粘着テープ１２が貼付された部分と、それ以外の部分との間で厚みの差をはほとんど無い。すなわち、粘着テープ１２の厚みｔ１はデスクマット本体１１の厚みの１．３％程度である。
そのため、図４の従来例と異なり、デスクマット１０を天板Ｔの上に載せた場合にも、デスクマット本体１１の上面には、段差はほとんど形成されず、書き作業等がしやすく、見た目もきれいである。
【００２１】
また、デスクマット本体１１貼付側の強粘着面１２ｃが、机Ｄの天板Ｔの貼付側の弱粘着面１２ｂよりも粘着力が大きいため、デスクマット１０を天板Ｔから剥がす際にも、天板Ｔ上に粘着テープ１２の一部が付着残存することはない。
このように、天板Ｔ側の弱粘着面１２ｂの粘着力が弱いので、デスクマット１０を天板Ｔから剥がす際に天板Ｔの塗装も一緒に剥がすなどすることはなく、天板Ｔを傷めることが無い。
【００２２】
上記の通り、両面粘着テープ１２は、デスクマット本体１１の対向する側辺近傍に沿って貼付されているため、デスクマット１０は天板Ｔに貼り付けた状態でずれ動きにくく安定している。
このとき、粘着テープ１２はデスクマット１０の両側にあるため、デスクマット本体１１と机Ｄの天板Ｔとの間の隙間は広く、比較的大きなメモ類、ブロマイド等を挟むことができる。
【００２３】
また、両面粘着テープ１２は、デスクマット本体１１の角隅部１１ａを余らせた状態で貼付されているので、天板Ｔに貼り付いていない角隅部１１ａからデスクマット１０をめくり上げることで、容易に天板Ｔから剥がすことができる。
【００２４】
デスクマット本体１１の裏面はマット加工が施されているため、デスクマット本体１１自身が天板Ｔに貼り付いて傷めることが防止されており、また、デスクマット１０を天板Ｔから剥がすことが容易となっている。
【００２５】
デスクマット本体１１は、ポリオレフィン系樹脂から形成されているので、焼却処分してもダイオキシン等の有害物質が発生することがない。
【００２６】
また、デスクマット本体１１のポリオレフィン系樹脂には、抗菌剤が練り込まれているので、デスクマット１０に雑菌が繁殖するのが長期間防止される。
【図面の簡単な説明】
【００２７】
【図１】実施形態のデスクマットを裏面から見た斜視図
【図２】実施形態のデスクマットを天板に貼り付けた状態を示す図
【図３】両面粘着テープの断面図
【図４】従来のデスクマットを天板に貼り付けた状態を示す図
【図５】ミクロ吸盤テープの断面図
【符号の説明】
【００２８】
１０  実施形態のデスクマット
１１  デスクマット本体
１１ａ  角隅部
１２  両面粘着テープ
１２ａ  支持体
１２ｂ  天板貼り付け側面(弱粘着面)
１２ｃ  デスクマット本体貼付側面(強粘着面)
２０  従来のデスクマット
２１  デスクマット本体
２２  ミクロ吸盤テープ
２２ａ  気泡
Ｄ  机
Ｔ  天板
ｔ１  両面粘着テープの厚み
ｔ２  ミクロ吸盤テープの厚み
【図１】
0003134098.tif 000003
【図２】
0003134098.tif 000004
【図３】
0003134098.tif 000005
【図４】
0003134098.tif 000006
【図５】
0003134098.tif 000007